(57)【要約】【課題】  デジタル放送信号を地域毎に異なる変調方式で配信するＣＡＴＶシステムにおいて、全ての加入者宅に簡単に設置でき、しかも、各加入者宅でデジタル放送信号の変調方式を瞬時に判断することのできる受信端末装置を提供する。【解決手段】  ＣＡＴＶシステムの加入者宅に設置される受信端末装置（ＳＴＢ）３２には、地域毎に設定される各変調方式のデジタル放送信号を復調するための復調部１６、１８を設ける。そして、マイコン３０が実行する選局処理により、選局部１２で選局させたデジタル放送信号を各復調部１６、１８へ入力して復調させることで、その復調結果から、選局部１２で選局させたデジタル放送信号の変調方式を特定し、その特定した変調方式に対応した復調部１６又は１８からの出力を、選択部２０を介してＴＳ処理部２２に入力させると共に、その特定した変調方式を表示部３６に識別可能に表示させる。【選択図】  図１
2006203779.tif 000002
【特許請求の範囲】
【請求項１】
ＣＡＴＶシステムのセンタ装置から伝送路を介して伝送されてくる多チャンネルのデジタル放送信号の中から、外部操作によって指定された特定放送チャンネルのデジタル放送信号を選局する選局手段と、
該選局手段にて選局されたデジタル放送信号を、前記センタ装置で変調される前の元のデジタル放送信号に復調する復調手段と、
該復調手段にて復調されたデジタル放送信号を処理して放送データを復元する信号処理手段と、
を備えたＣＡＴＶシステムの受信端末装置であって、
異なる変調方式で変調された複数種類のデジタル放送信号を各々復調するために、前記復調手段として、各変調方式に対応した複数の復調手段を備えると共に、
前記選局手段が選局するデジタル放送信号の各放送チャンネル毎に、前記複数の復調手段の中から前記デジタル放送信号を正常に復調できた復調手段を特定する特定手段と、
該特定手段にて特定された復調手段を、前記デジタル放送信号の復調に用いる復調手段として選択し、該選択した復調手段からの出力を前記信号処理手段に入力する選択手段と、
該選択手段にて選択された復調手段の種類に基づき、前記選局手段が選局中のデジタル放送信号が前記複数の変調方式の何れであるかを判定し、該変調方式を識別可能に表示する表示手段と、
を備えたことを特徴とするＣＡＴＶシステムの受信端末装置。
【請求項２】
前記特定手段は、前記各放送チャンネル毎に、前記デジタル放送信号を復調可能な復調手段を特定すると、該特定した復調手段を表す情報を該放送チャンネルに関連づけて記憶手段に記憶し、
前記選択手段は、前記選局手段が選局する放送チャンネルが切り換えられる度に、前記記憶手段に記憶された情報に基づき、該放送チャンネルのデジタル放送信号を復調するのに用いる復調手段を選択することを特徴とする請求項１に記載のＣＡＴＶシステムの受信端末装置。
【請求項３】
前記復調手段として、
前記センタ装置にてＣＡＴＶシステム特有の変調方式にて変調されたデジタル放送信号を復調するための第１の復調手段と、
放送局側で変調され、前記センタ装置では何の変更もされずに伝送されてくるデジタル放送信号を復調するための第２の復調手段と、
を備えたことを特徴とする請求項１又は請求項２に記載のＣＡＴＶシステムの受信端末装置。
【発明の詳細な説明】
【技術分野】
【０００１】
本発明は、ＣＡＴＶシステムの加入者宅で使用される受信端末装置に関し、特に、変調方式の異なる多チャンネルのデジタル放送信号の中から任意の放送チャンネルの放送データを復元可能な受信端末装置に関する。
【背景技術】
【０００２】
従来より、ＣＡＴＶシステムにおいては、加入者宅に、受信端末装置としてのセットトップボックス（以下、ＳＴＢという）を設置している。このＳＴＢは、ＣＡＴＶシステムのセンタ装置から光ケーブルや同軸ケーブル等からなる伝送路を介して加入者宅に配信される多チャンネルのテレビ放送信号の中から、特定放送チャンネルのテレビ放送信号を選局して映像及び音声信号を復調するためのものであり、使用者は、ＳＴＢが選局・復調するテレビ放送信号のチャンネルを外部から指定することで、所望のテレビ放送番組を視聴することができる。
【０００３】
ところで、近年では、放送局から配信されるテレビ放送信号のデジタル化に伴い、ＣＡＴＶシステムでもデジタル化が進み、例えば、ＣＡＴＶシステムのセンタ装置側で、放送局から配信されるテレビ放送信号（デジタル放送信号）を各チャンネル毎に一旦復調し、その復調したデジタルデータを、ＣＡＴＶシステム固有の変調方式（一般に６４ＱＡＭ）で再変調した後、所定チャンネル（つまり所定の伝送周波数帯）のデジタル放送信号に変換して、端末側に伝送する、所謂トランスモジュレーション方式のＣＡＴＶシステムが実用化されている。
【０００４】
また、例えば、ＣＡＴＶシステムにおけるテレビ放送信号のサービス形態には、放送局からの電波が届き難い受信障害地域にテレビ放送信号を配信する所謂受信障害対策のための配信サービスと、衛星放送や自主放送を含む多チャンネルのテレビ放送信号を配信する都市型サービスとがあり、これらのサービスを同時に行うＣＡＴＶシステムでは、都市型サービスを行う地域での課金制御の関係から、受信障害地域とそれ以外の地域とで、配信するテレビ放送信号の変調方式を変更することも行われている。
【０００５】
具体的には、受信障害地域では、市販されているデジタル放送受信機で地上波デジタル放送を受信できるように、放送局から配信されたデジタル放送信号をそのまま端末側に伝送する所謂パススルー方式を採用し、受信障害地域以外の地域では、上述したトランスモジュレーション方式を採用することで、地上波デジタル放送で得られるデジタル放送信号を、受信障害地域とそれ以外の地域とで異なる変調方式で再送信するようにしている。
【０００６】
また、大規模なＣＡＴＶシステムでは、一箇所に設けた受信設備ではサービスエリアをカバーできず、受信設備を複数箇所に分散して配置することがある。この場合、各受信設備から送出されるテレビ放送信号（デジタル放送信号）の変調方式は必ずしも一定ではなく、上記と同様に、地域毎に、伝送されるデジタル放送信号の変調方式が異なることがある。
【０００７】
また、従来より、各ＣＡＴＶシステムでのデジタル受信設備の設備投資を軽減するために、複数の配信センタをネットワークで接続し、各配信センタから各ＣＡＴＶシステムのセンタ装置にテレビ放送信号を配信することも提案されている（例えば、特許文献１等、参照）。そして、この種のシステムでは、各ＣＡＴＶシステムの多種多様な要望に対応するため、各ＣＡＴＶシステムには、複数の配信センタから異なる変調方式で変調されたデジタル放送信号が配信されることになるため、各ＣＡＴＶシステムの伝送路には、異なる変調方式で変調されたデジタル放送信号が伝送されることになる。
【特許文献１】特開２００４−１８６８２２号公報
【発明の開示】
【発明が解決しようとする課題】
【０００８】
ところで、上記のように、同一のデジタル放送信号が地域毎に異なる変調方式で配信されるＣＡＴＶシステムにおいては、各加入者宅に設置するＳＴＢを、その地域で配信されるデジタル放送信号の変調方式に対応させる必要があり、加入者宅へのＳＴＢの設置作業が面倒であるという問題があった。
【０００９】
例えば、地上波デジタル放送で得られるデジタル放送信号を、パススルー方式とトランスモジュレーション方式との何れかで配信し、衛星放送等で得られる他のデジタル放送信号については、一般的なトランスモジュレーション方式で配信するよう構成されたＣＡＴＶシステムにおいては、地上波のデジタル放送信号がパススルー方式で配信される地域の加入者宅には、トランスモジュレーション方式で配信されるデジタル放送信号に加えて、パススルー方式で配信されるデジタル放送信号をも復調できるように、２種類の復調回路を備えたＳＴＢを設置し、他の地域の加入者宅には、トランスモジュレーション方式で配信されるデジタル放送信号のみを復調可能なＳＴＢを設置する、というように、各地域毎に、加入者宅に設置するＳＴＢの種類を変更しなければならず、加入者宅へのＳＴＢの設置作業が面倒であるという問題があった。
【００１０】
一方、こうした問題を防止するためには、ＣＡＴＶシステムの加入者宅には、当該システムで配信される全ての変調方式のデジタル放送信号を復調できるように、複数の復調回路を備えた全地域共通のＳＴＢを設置するようにし、ＳＴＢ内でデジタル放送信号の復調に用いる復調回路を、放送チャンネル毎に、ＳＴＢの設置作業者が手動で設定するようにするか、或いは、ＳＴＢ自体を、各復調回路による復調結果に基づき、各放送チャンネル毎に、デジタル放送信号を復調するのに用いる復調回路を自動で設定するよう構成すればよい。
【００１１】
しかし、このようにすると、各加入者宅では、ＳＴＢの種類等から、その加入者宅に配信されているデジタル放送信号の種別を把握することができなくなり、例えば、加入者宅にてデジタル放送信号の受信状況が悪化した場合に、その加入者宅で受信しているデジタル放送信号の変調方式を識別して、そのデジタル放送信号の伝送系をチェックするのに時間がかかる、といった問題が生じる。
【００１２】
本発明は、こうした問題に鑑みなされたもので、デジタル放送信号が地域毎に異なる変調方式で配信されるＣＡＴＶシステムにおいて、面倒な設定作業を行うことなく全ての加入者宅に簡単に設置でき、しかも、各加入者宅で受信しているデジタル放送信号の変調方式を瞬時に判断することのできる受信端末装置（ＳＴＢ）を提供することを目的とする。
【課題を解決するための手段】
【００１３】
係る目的を達成するためになされた請求項１に記載の受信端末装置においては、選局手段が、ＣＡＴＶシステムのセンタ装置から伝送路を介して伝送されてくる多チャンネルのデジタル放送信号の中から、外部操作によって指定された特定放送チャンネルのデジタル放送信号を選局し、復調手段が、その選局されたデジタル放送信号を、センタ装置で変調される前の元のデジタル放送信号に復調し、信号処理手段が、その復調されたデジタル放送信号を処理して放送データを復元する。
【００１４】
また、本発明の受信端末装置には、異なる変調方式で変調された複数種類のデジタル放送信号を各々復調するために、復調手段として、各変調方式に対応した複数の復調手段が備えられており、特定手段が、選局手段が選局するデジタル放送信号の各放送チャンネル毎に、デジタル放送信号を正常に復調できた復調手段を特定し、選択手段が、その特定手段により特定された復調手段を、デジタル放送信号の復調に用いる復調手段として選択して、その選択した復調手段からの出力を信号処理手段に入力する。
【００１５】
このため、本発明の受信端末装置によれば、ＣＡＴＶシステムにおいて、デジタル放送信号が地域毎に異なる変調方式で変調されて配信される場合であっても、各加入者宅には、全て同一種類の受信端末装置を設置すればよく、地域毎に加入者宅に設置する受信端末装置を変更する必要がないため、その設置作業を簡単に行うことができる。
【００１６】
また、本発明の受信端末装置においては、各放送チャンネル毎に、デジタル放送信号を正常に復調し得る復調手段を自動で特定して、信号処理手段には、その特定した復調手段にて復調されたデジタル放送信号を入力するように構成されていることから、当該受信端末装置を加入者宅に設置した際には、作業者は、各放送チャンネル毎にデジタル放送信号の復調に用いる復調手段を手動で設定する必要がなく、これによっても加入者宅への設置作業を簡単にすることができる。
【００１７】
また次に、本発明の受信端末装置においては、選択手段がデジタル放送信号の復調に用いる復調手段を選択すると、表示手段が、その選択された復調手段の種類に基づき、選局手段が選局中のデジタル放送信号が複数の変調方式の何れであるかを判定して、その変調方式を識別可能に表示する。
【００１８】
このため、この受信端末装置が設置された加入者宅では、表示手段への表示内容から、加入者宅に配信されているデジタル放送信号の変調方式を把握することができるようになり、加入者宅にてデジタル放送信号の受信状況が悪化した際には、ＣＡＴＶシステムを運営している事業者側では、加入者から受信状況が悪化した放送チャンネルのデジタル放送信号の変調方式を聞き出すことで、そのデジタル放送信号の伝送系を速やかにチェックして、異常発生箇所を特定できるようになり、異常発生時の復旧作業を迅速に行うことが可能となる。
【００１９】
ここで、特定手段は、選局手段が特定放送チャンネルのデジタル放送信号を選局する度に、そのデジタル放送信号を正常に復調できた復調手段を特定するようにしてもよいが、このようにすると、受信状況が悪化して、全ての復調手段でデジタル放送を正常に復調できなくなった際には、デジタル放送信号を正常に復調できた復調手段（換言すれば選局手段が選局したデジタル放送信号の変調方式）を特定することができず、表示手段にてそのデジタル放送信号の変調方式を表示することができなくなる。
【００２０】
したがって、特定手段をこのように構成すると、加入者宅で受信状況が悪化した際には、ＣＡＴＶシステムの事業者側では、加入者から受信状況が悪化する前に表示手段に表示されていた変調方式を聞き出す必要があるが、加入者がその表示内容を思い出せないときには、加入者から受信状況が悪化した放送チャンネルのデジタル放送信号の変調方式を聞き出すことができなくなってしまう。
【００２１】
このため、特定手段は、請求項２に記載のように、各放送チャンネル毎に、デジタル放送信号を復調可能な復調手段を特定すると、その特定した復調手段を表す情報をその放送チャンネルに関連づけて記憶手段に記憶するように構成し、選択手段は、選局手段が選局する放送チャンネルが切り換えられる度に、特定手段により記憶手段に記憶された情報に基づき、その放送チャンネルのデジタル放送信号を復調するのに用いる復調手段を選択するよう構成すればよい。
【００２２】
つまり、特定手段及び選択手段をこのように構成すれば、表示手段には、選局手段が選局した特定放送チャンネルのデジタル放送信号を復調手段で正常に復調できたか否かに関わらず（換言すれば、そのデジタル放送信号の受信状況が悪化したか否かに関わらず）、そのデジタル放送信号の変調方式を表示することができるようになり、ＣＡＴＶシステムの事業者側では、加入者宅で受信状況が悪化した際に、加入者から受信状況が悪化した放送チャンネルのデジタル放送信号の変調方式を確実に聞き出し、復旧作業を迅速に行うことが可能となる。
【００２３】
なお、本発明の受信端末装置に設ける復調手段としては、例えば、請求項３に記載のように、センタ装置にてＣＡＴＶシステム特有の変調方式にて変調されたデジタル放送信号を復調するための第１の復調手段と、放送局側で変調され、センタ装置では何の変更もされずに伝送されてくるデジタル放送信号を復調するための第２の復調手段と、を挙げることができる。
【発明を実施するための最良の形態】
【００２４】
以下に本発明の実施形態について説明する。
図１は、本発明が適用された実施形態のセットトップボックス（ＳＴＢ）１０の構成を表す構成図である。
【００２５】
なお、本実施形態のＳＴＢ１０は、センタ装置において、地上局から配信される地上波デジタル放送や放送衛星（ＢＳ）若しくは通信衛星（ＣＳ）を介して配信されるデジタル衛星放送を各チャンネル毎に受信・復調して、その復調した各種デジタル放送信号を、ＣＡＴＶシステム固有の変調方式（本実施形態では６４ＱＡＭ）で再変調して、所定周波数帯の放送チャンネルに割り当てて再送信し、しかも、受信障害対策を行うべき特定の地域には、地上波デジタル放送で得られたデジタル放送信号を、６４ＱＡＭで再変調することなく、地上局から受信した変調方式（具体的にはＯＦＤＭ）のまま再送信するように構成されたＣＡＴＶシステムにて、各加入者宅に設置するのに使用される受信端末装置である。
【００２６】
図１に示すように、本実施形態のＳＴＢ１０は、ＣＡＴＶシステムのセンタ装置側から同軸ケーブルを介して伝送されてくる伝送信号を入力するための入力端子Ｔｉｎと、この入力端子Ｔｉｎに入力された伝送信号の中から、特定放送チャンネル（以下、単に選局チャンネルともいう）のデジタル放送信号を選局して中間周波数帯に周波数変換する選局部１２とを備える。
【００２７】
そして、この選局部１２で選局され、中間周波数帯に周波数変換されたデジタル放送信号は、分配器１４で２分配されて、ＯＦＤＭ復調部１６及び６４ＱＡＭ復調部１８にそれぞれ入力される。
【００２８】
この結果、ＳＴＢ１０が受信障害対策を行う特定地域内の加入者宅に設置されており、選局部１２が、センタ装置からパススルー方式で伝送されてきた地上波デジタル放送の放送信号を選局した際には、そのデジタル放送信号がＯＦＤＭ復調部１６にて復調されることになる。また、ＳＴＢ１２が受信障害対策を行う特定地域以外に設置されているときや、ＳＴＢ１２が受信障害対策を行う特定地域に設置されていても、選局部１２がセンタ装置からトランスモジュレーション方式で伝送されてきたデジタル放送信号（つまり地上波デジタル放送以外の放送信号）を選局した際には、デジタル放送信号が６４ＱＡＭ復調部１８にて復調されることになる。
【００２９】
また、ＳＴＢ１０には、上記２つの復調部１６、１８の内、センタ装置側で変調する前の元のデジタル放送信号（具体的にはトランスポートストリーム：ＴＳ）を復調できた復調部１６又は１８からの出力（ＴＳ）を選択して、ＴＳ処理部２２に入力する選択部２０が設けられている。
【００３０】
そして、この選択部２０にて選択されたデジタル放送信号（ＴＳ）は、ＴＳ処理部２２にて映像・音声・データ等に分離された後、ＭＰＥＧ処理部２４に入力され、このＭＰＥＧ処理部２４にて映像及び音声データに変換される。
【００３１】
また、このＭＰＥＧ処理部２４にて得られた映像及び音声データは、それぞれ、映像処理部２６及び音声処理部２８に出力され、これら各部２６、２８で映像信号及び音声信号に変換されて、映像出力端子Ｔｖｏ及び音声出力端子Ｔａｏから、外部のテレビ受像器等に出力される。
【００３２】
また更に、ＳＴＢ１０には、選局部１２における選局チャンネルを含む各種指令を手動操作によって入力するための操作部３２や、遠隔操作用の図示しないリモコン装置からの送信信号を受信するリモコン受信部３４が設けられている。
【００３３】
そして、これら操作部３２やリモコン受信部３４からの入力信号は、ＣＰＵ、ＲＯＭ、ＲＡＭ等からなるマイクロコンピュータ（マイコン）３０に入力され、マイコン３０は、操作部３２若しくはリモコン受信部３４から、選局部１２による選局チャンネルを指定する信号が入力されると、その指定信号に応じて、選局部１２が選局する選局チャンネルを切り換え、その後、選局部１２で選局されたデジタル放送信号からＴＳを復調し得る復調部１６又は１８を選択的に動作させると共に、選択部２０に対してその動作させた復調部１６又は１８からの出力を選択させる選局処理を実行する。
【００３４】
また、ＳＴＢ１０には、選局部１２が選局中のデジタル放送信号の変調方式が、ＣＡＴＶシステム固有の変調方式（つまり６４ＱＡＭ）であるか、地上波デジタル放送での変調方式（つまりＯＦＤＭ）であるかを、ＬＥＤの点灯等によって識別可能に表示するための表示部３６と、選局部１２による選局チャンネルとその選局チャンネルでのデジタル放送信号の変調方式とを関連づけて記憶するための変調方式記憶部３８とが備えられている。
【００３５】
そして、マイコン３０は、上記選局処理により、選局部１２に対して、ＳＴＢ１０が加入者宅に設置されてから各放送チャンネルのデジタル放送信号を最初に選局させる際には、各復調部１６、１８の動作状態に基づき、その放送チャンネルのデジタル放送信号の変調方式を認識して、変調方式記憶部３８に書き込み、逆に、選局部１２に対して、変調方式記憶部３８に変調方式が既に書き込まれた放送チャンネルのデジタル放送信号を選局させる際には、変調方式記憶部３８から、そのデジタル放送信号の変調方式を読み出し、復調部１６、１８や選択部２０を制御すると共に、表示部３６にその変調方式を表示する。
【００３６】
以下、このようにマイコン３０において実行される選局処理を、図２に示すフローチャートに沿って説明する。
この選局処理は、ＳＴＢ１０への電源投入後、マイコン３０において繰り返し実行される実行される処理であり、処理が開始されると、Ｓ１１０（Ｓはステップを表す）にて、操作部３２若しくはリモコン受信部３４から、当該ＳＴＢ１０にて選局・復調すべきデジタル放送信号の放送チャンネル（つまり、選局チャンネル（図では選局ＣＨと記載））が入力されたか否かを判断することにより、選局チャンネルが入力されるのを待つ。
【００３７】
そして、Ｓ１１０にて選局チャンネルが入力されたと判断されると、続くＳ１２０に移行して、その選局チャンネルのデジタル放送信号を選局させるための選局指令を選局部１２に出力する。この結果、選局部１２は、操作部３２若しくは図示しないリモコン装置を介して使用者が指定した選局チャンネルのデジタル放送信号を選局するようになる。
【００３８】
次に、Ｓ１３０では、Ｓ１２０にて選局部１２に出力した選局指令の選局チャンネルは、地上波デジタル放送の放送チャンネルであるか否かを判断する。そして、選局チャンネルが地上波デジタル放送の放送チャンネルでなければ、Ｓ１４０に移行して、６４ＱＡＭ復調部１８を動作させると共に、ＯＦＤＭ復調部１６の動作を停止させ、続くＳ１５０にて、６４ＱＡＭ復調部１８からの出力を選択させるための選択指令を選択部２０に出力した後、当該選択処理を一旦終了する。
【００３９】
つまり、選局部１２における選局チャンネルが地上波デジタル放送の放送チャンネルでなければ、選局部１２では、ＣＡＴＶ固有の変調方式である６４ＱＡＭで変調されたデジタル放送信号が選局されることから、Ｓ１３０〜Ｓ１５０の一連の処理では、選局部１２にて選局されたデジタル放送信号を確実に復調できるように、６４ＱＡＭ復調部１８を動作させて、選択部２０からＴＳ処理部２２には、その６４ＱＡＭ復調部１８にて復調されたデジタル放送信号（つまりＴＳ）を選択的に入力させるのである。
【００４０】
また次に、Ｓ１３０にて、選局チャンネルは地上波デジタル放送の放送チャンネルであると判断された場合には、Ｓ１６０に移行して、変調方式記憶部３８にその選局チャンネルのデジタル放送信号の変調方式が記憶されているか否かによって、選局部１２に選局させたデジタル放送信号を復調可能な復調部が既に特定されているか否かを判定する。
【００４１】
そして、Ｓ１６０にて、選局部１２に選局させたデジタル放送信号を復調可能な復調部は未だ特定されていないと判断されると、Ｓ１７０に移行して、ＯＦＤＭ復調部１６及び６４ＱＡＭ復調部１８を共に動作させ、続くＳ１８０にて、これら各復調部１６、１８の動作状態から、選局部１２に選局させたデジタル放送信号を復調可能な復調部（ＯＦＤＭ復調部１６又は６４ＱＡＭ復調部１８）を特定し、その特定した復調部１６又は１８に対応したデジタル放送信号の変調方式を、現在の選局チャンネルと共に変調方式記憶部３８に記憶する。
【００４２】
またこのように、Ｓ１９０にて現在の選局チャンネルの変調方式を変調方式記憶部３８に記憶するか、或いは、Ｓ１６０にて、現在の選局チャンネルのデジタル放送信号を復調可能な復調部は既に特定されていると判断されると、Ｓ１９０に移行して、変調方式記憶部３８に記憶されている現在の選局チャンネルの変調方式に基づき、上記２つの復調部１６、１８の中から、選局部１２にて選局されたデジタル放送信号を復調可能な復調部１６又は１８を選択して、その復調部１６又は１８を動作させ、もう一方の復調部１８又は１６の動作を停止させる。
【００４３】
また続くＳ２００では、Ｓ１９０にて動作させた復調部１６又は１８からの出力を選択させるための選択指令を選択部２０に出力することにより、選択部２０に対して、現在の選局チャンネルのデジタル放送信号を復調したデータ（つまりＴＳ）を選択させ、続くＳ２１０にて、選局部１２が選局している放送チャンネルでのデジタル放送信号の変調方式を表示部３６に表示し、当該選局処理を一旦終了する。
【００４４】
以上説明したように、本実施形態のＳＴＢ１０には、ＣＡＴＶシステムのセンタ装置側から同軸ケーブル等を介して伝送されてくる変調方式の異なる２種類のデジタル放送信号を各々復調できるように、復調手段としてＯＦＤＭ復調部１６と６４ＱＡＭ復調部１８との２種類の復調部が備えられ、マイコン３０が実行する選局処理により、この２つの復調部１６、１８の中から、選局部１２にて選局されたデジタル放送信号を復調可能な復調部を自動で選択するようにされている。
【００４５】
このため、本実施形態のＣＡＴＶシステムにおいては、地上波デジタル放送における各放送チャンネルのデジタル放送信号の伝送方式を、各地域毎に、パススルー方式及びトランスモジュレーション方式の何れか一方に設定しても、各加入者宅には、全て、図１に示した同一種類のＳＴＢ１０を設置すればよく、地域毎に加入者宅に設置するＳＴＢを変更する必要がないため、その設置作業を簡単に行うことができる。
【００４６】
また本実施形態のＳＴＢ１０は、地上波デジタル放送における各放送チャンネルの伝送方式を変調方式記憶部３８に記憶し、選局部１２に地上波デジタル放送の放送チャンネルを選局させた際には、その放送チャンネルのデジタル放送信号の変調方式を変調方式記憶部３８から読み出し、そのデジタル放送信号を復調可能な復調部１６又は１８を特定するように構成され、しかも、そのとき変調方式記憶部３８から読み出した地上波デジタル放送信号の変調方式を表示部３６に表示するようにされている。
【００４７】
従って、ＳＴＢ１０が設置された加入者宅では、表示部３６への表示内容（具体的には、表示部３６を構成しているＬＥＤの点灯状態）から、加入者宅に配信されている地上波デジタル放送の変調方式を各放送チャンネル毎に把握することができるようになり、加入者宅にてその放送信号の受信状況が悪化した際には、ＣＡＴＶシステムを運営している事業者側で、加入者から受信状況が悪化した地上波デジタル放送信号の変調方式を聞き出すことで、そのデジタル放送信号の伝送系を速やかにチェックして、異常発生箇所を特定できるようになり、異常発生時の復旧作業を迅速に行うことが可能となる。
【００４８】
なお、本実施形態においては、ＯＦＤＭ復調部１６及び６４ＱＡＭ復調部１８が、本発明の復調手段に相当し、特に、ＯＦＤＭ復調部１６は請求項３に記載の第２の復調手段に相当し、６４ＱＡＭ復調部１８は請求項３に記載の第１の復調手段に相当する。また、本実施形態では、ＴＳ処理部２２、ＭＰＥＧ処理部２４、映像処理部２６、及び音声処理部２８が、本発明の信号処理手段に相当する。
【００４９】
一方、マイコン３０にて実行される選局処理の内、選局部１２へ選局指令を出力するＳ１２０の処理は、選局部１２と共に、本発明の選局手段としての機能を実現しており、Ｓ１７０及びＳ１８０の処理は、本発明の特定手段に相当し、変調方式記憶部３８は、本発明の記憶手段に相当する。また、選局処理におけるＳ１９０及びＳ２００の処理は、選択部２０と共に、本発明の選択手段としての機能を実現し、Ｓ２１０の処理は、表示部３６と共に、本発明の表示手段としての機能を実現している。
【００５０】
以上、本発明の一実施形態について説明したが、本発明は、上記実施形態に限定されるものではなく、本発明の要旨を逸脱しない範囲内にて種々の態様を採ることができる。
例えば、上記実施形態では、地上波デジタル放送の各放送信号が地域毎に異なる変調方式で伝送されるＣＡＴＶシステムにおいて使用されるＳＴＢ１０について説明したが、本発明の受信端末装置は、衛星放送を受信することにより得られたデジタル放送信号や自主放送用のデジタル放送信号を、地域毎に異なる変調方式で伝送するように構成されたＣＡＴＶシステムであっても、上記実施形態のＳＴＢ１０と同様に適用することができる。
【図面の簡単な説明】
【００５１】
【図１】実施形態のセットトップボックス（ＳＴＢ）の構成を表すブロック図である。
【図２】図１のＳＴＢにて実行される選局処理を表すフローチャートである。
【符号の説明】
【００５２】
１０…ＳＴＢ、Ｔｉｎ…入力端子、１２…選局部、１４…分配器、１６…ＯＦＤＭ復調部、１８…６４ＱＡＭ復調部、２０…選択部、２２…ＴＳ処理部、２４…ＭＰＥＧ処理部、２６…映像処理部、Ｔｖｏ…映像出力端子、２８…音声処理部、Ｔａｏ…音声出力端子、３０…マイコン、３２…操作部、３４…リモコン受信部、３６…表示部、３８…変調方式記憶部。
【図１】
2006203779.tif 000003
【図２】
2006203779.tif 000004